(57)【要約】【課題】従来のきき幅調整ができる軒瓦は、剣垂れの重なりの不都合を回避するために、瓦本体の裏面に設けた、棧側から差込み側に向って、この瓦本体の内方側に変位した剣垂れと、剣垂れの上方に頭張出部を設け、頭張出部が、棧側より差込み側に向って大きく形成し、かつ剣垂れの高さ寸法が、棧側より差込み側に向って低く形成し、また剣垂れは、一文字構造の剣垂れとした構成である。しかし、軽量化等の構造の改良が望まれている。【構成】本発明は、瓦本体の裏面で、頭側垂れ面の中付け位置に設けた合端口付の剣垂れと、瓦本体の頭差込み側隅部に設けた剣垂れの合端口の挿入を許す切欠き部と、瓦本体の裏面で、かつ尻側端部に設けた引掛けで構成した軒瓦で、頭側端部の寸法を棧側より差込み側に向って大きく形成し、かつ剣垂れの高さ寸法を棧側より差込み側に向って低くし、また剣垂れが瓦本体の頭側垂れ面と略相似形の中付け軒瓦である。【選択図】図１
2009144476.tif 000002
【特許請求の範囲】
【請求項１】
瓦の瓦本体と、この瓦本体の裏面で、かつその頭側垂れ面の中付け位置に、前記裏面より高く設けた、合端口を備えた剣垂れと、この瓦本体の頭差込み側隅部に設けた、この瓦に隣接する瓦の剣垂れの合端口の挿入を許す切欠き部と、また、この瓦本体の裏面で、かつその尻側端部に設けた引掛けとで構成される中付け軒瓦であって、
前記中付け位置に設けた剣垂れと、前記頭側垂れ面とで形成される頭側端部の寸法は、前記瓦本体の棧側より差込み側に向って、順次大きくなるように形成し、
また、この剣垂れの高さ寸法は、前記棧側より差込み側に向って、順次低くなるように形成し、
さらに、この剣垂れは、前記瓦本体の表面と略相似形であることを特徴とした中付け軒瓦。
【請求項２】
瓦の瓦本体と、この瓦本体の裏面で、かつその頭側垂れ面の中付け位置に、前記裏面より高く設けた、合端口を備えた剣垂れと、この瓦本体の頭差込み側隅部に設けた、この瓦に隣接する瓦の剣垂れの合端口の挿入を許す切欠き部と、また、この瓦本体の裏面で、かつその尻側端部に設けた引掛けとで構成される中付け軒瓦であって、
前記中付け位置に設けた剣垂れと、前記頭側垂れ面とで形成される頭側端部の寸法は、前記瓦本体の棧側より差込み側に向って、順次大きくなるように形成し、
また、この剣垂れの高さ寸法は、前記棧側より差込み側に向って、順次低くなるように形成したことを特徴とした中付け軒瓦。
【請求項３】
請求項１に記載の中付け軒瓦において、
前記剣垂れの高さ寸法は、平均して、前記瓦本体の頭側垂れ面の肉厚方向の幅と、略同じ構造とすることを特徴とした中付け軒瓦。
【請求項４】
請求項１に記載の中付け軒瓦において、
前記剣垂れの高さ寸法は、その棧山において、前記瓦本体の頭側垂れ面の肉厚方向の幅と、略同じ構造とし、この剣垂れの高さ寸法は、その差込み側に向って、順次低くなるように形成され、この差込み側の端部においては、瓦本体の裏面と略面一の構造とすることを特徴とした中付け軒瓦。
【請求項５】
請求項１に記載の中付け軒瓦において、
前記瓦本体の頭差込み側隅部に設けた切欠き部に、葺設時に隣接する瓦の瓦本体の裏面であって、剣垂れの棧山端部に設けた合端口が嵌合されることを特徴とした中付け軒瓦。
【請求項６】
請求項１に記載の中付け軒瓦において、
前記瓦本体の頭差込み側隅部に設けた切欠き部の差込み（受入れ）傾斜嵌合端部の傾斜を、差込み側の差込み部の端面の傾斜と略同一とし、この差込み（受入れ）嵌合傾斜端部に、合端口の受入れ（差込み）傾斜嵌合端部が嵌合係止されることを特徴とした中付け軒瓦。
【請求項７】
請求項６に記載の中付け軒瓦において、
前記合端口の受入れ（差込み）傾斜嵌合端部の端縁を、曲面形状に形成することを特徴とした中付け軒瓦。
【発明の詳細な説明】
【技術分野】
【０００１】
本発明は、中付け軒瓦に関する。
【背景技術】
【０００２】
従来、この種の中付け軒瓦に関して、本出願人は、特開平１１−６２１１３号の「中付け一文字軒先瓦等の中付け軒瓦」を提案している（文献（１）とする）。この発明は、きき幅調整ができる軒瓦において、剣垂れによって不都合を回避することを意図する構成であり、その概要は、瓦本体と、この瓦本体の裏面に設けた、棧側から差込み側に向って、この瓦本体の内方側に変位した剣垂れと、この剣垂れの上方に頭張出部を設け、この頭張出部を、棧側より差込み側に向って、順次大きくなるように形成し、かつこの剣垂れの高さ寸法を、棧側より差込み側に向って、順次低くなるように形成し、またこの剣垂れは、一文字構造の剣垂れとする構成であり、この剣垂れの重なり合わせによる調整手段を介して、隣接する中付け軒瓦間の葺き合せ寸法を調整可能としたことを特徴とする。その効果は、頭部ラインを美しく仕上げることができ、葺合せ寸法の調整を可能としたことにある。
【０００３】
また軒瓦として、葺合せ調整と、軒先の美感の向上を意図する他の先行文献として、特開平８−５３９０６号の「軒瓦及びその瓦葺き方法」がある（文献（２）とする）。この発明は、瓦本体の軒先側を傾斜させ、棧側から、差込み側に向って、きき脚方向における瓦本体の寸法を順次短くなるように形成し、全体視して、傾斜頭側とすることで、この傾斜頭側の重合せを可能とし、この重合せ寸法調整（重合せの寸法調整）を介して、きき幅調整を図る構成であり、また垂れ部の正面を、全体視して（葺設した状態で）ウエーブの美感を生成すること等を特徴とする。
【０００４】
【特許文献１】特開平１１−６２１１３号
【特許文献２】特開平８−５３９０６号
【発明の開示】
【発明が解決しようとする課題】
【０００５】
前述した文献（１）は、中付け（一文字）軒瓦において、その剣垂れ（前垂れ）を、中付け構造とすることと、この中付けの剣垂れを、底面を直線形状の一文字構造とすることを特徴とする。しかし、この中付けの剣垂れを、一文字構造とすることは、軒先の変化がなく、従来の感覚の範疇である。そして、また、軽量化が好まれている昨今では、この一文字構造の重さが、一部で問題視されている。従って、軒先の美感の向上と、問題点の解消が望まれるところである。またこの文献（１）は、一方の中付け変形軒瓦と、隣接する中付け変形軒瓦を葺き合せたとき、この一方の中付け変形軒瓦の切込端部と、隣接する中付け変形軒瓦の切込部との挿入調整を介して、きき幅調整する構成である。従って、一方の中付け変形軒瓦の頭差込み側隅部の表面と、隣接する中付け変形軒瓦の頭棧山側隅隅部の裏面とに関する構造を利用したきき幅調整を可能とする構造でない（本発明の、表面の頭差込み側隅部の平坦部と、裏面の頭側裏面隅角の平坦部との、摺り合わせによるきき幅調整は図れない。）。そして、また、この文献（１）は、剣垂れの合端口の端部及び／又はその他方の端部を、方形状とする構造であり、欠損の心配があり、改良すべき点であると考えられる。
【０００６】
また文献（２）は、傾斜頭側を、順次、葺合せ調整する構造であり、重なり代が、軒先に形成されることから、従来の一文字瓦と同様に、違和感があること、また中付け構造でないので、重厚味に欠けること等の改良点が考えられる。
【課題を解決するための手段】
【０００７】
請求項１の発明は、剣垂れの頭側垂れ面を、瓦本体の頭側垂れ面と略同じ形状を確保し、この軒先の美感の向上を図ること、又は剣垂れの高さ寸法を、瓦本体の頭側垂れ面の肉厚方向の幅（瓦本体の頭側垂れ面の厚み、高さ寸法）と略同じとして、軒瓦の軽量化を図ること等を意図する。そして、瓦本体の頭側端部の寸法（頭側垂れ面と、剣垂れの頭側垂れ面との寸法）が、棧側より差込み側に向って、順次大きくなるように形成し、葺設して屋根を全体視した際の、軒側（瓦本体の肉厚方向の幅と、剣垂れの高さ寸法とでなる屋根全体の頭側）の高さ寸法の略均一化を図りつつ、その美感の向上を図ることを意図する。
【０００８】
請求項１は、瓦の瓦本体と、この瓦本体の裏面で、かつその頭側垂れ面の中付け位置に、前記裏面より高く設けた、合端口を備えた剣垂れと、この瓦本体の頭差込み側隅部に設けた、この瓦に隣接する瓦の剣垂れの合端口の挿入を許す切欠き部と、また、この瓦本体の裏面で、かつその尻側端部に設けた引掛けとで構成される中付け軒瓦であって、
前記中付け位置に設けた剣垂れと、前記頭側垂れ面とで形成される頭側端部の寸法は、前記瓦本体の棧側より差込み側に向って、順次大きくなるように形成し、
また、この剣垂れの高さ寸法は、前記棧側より差込み側に向って、順次低くなるように形成し、
さらに、この剣垂れは、前記瓦本体の表面と略相似形であることを特徴とした中付け軒瓦である。
【０００９】
請求項２の発明は、請求項１の目的を達成すること、この目的を達成するのに最適な別の瓦を提供することを意図する。
【００１０】
請求項２は、瓦の瓦本体と、瓦本体の裏面で、かつ頭側垂れ面の中付け位置に、前記裏面より高く設けた、合端口を備えた剣垂れと、瓦本体の頭差込み側隅部に設けた、この瓦に隣接する瓦の剣垂れの合端口の挿入を許す切欠き部と、また、この瓦本体の裏面で、かつその尻側端部に設けた引掛けとで構成される中付け軒瓦であって、
前記中付け位置に設けた剣垂れと、前記頭側垂れ面とで形成される頭側端部の寸法は、前記瓦本体の棧側より差込み側に向って、順次大きくなるように形成し、
また、この剣垂れの高さ寸法は、前記棧側より差込み側に向って、順次低くなるように形成したことを特徴とした中付け軒瓦である。
【００１１】
請求項３の発明は、請求項１の目的を達成すること、この目的を達成するのに最適な剣垂れの高さ寸法構造を提供することを意図する。
【００１２】
請求項３は、請求項１に記載の中付け軒瓦において、
前記剣垂れの高さ寸法は、平均して、前記瓦本体の頭側垂れ面の肉厚方向の幅と、略同じ構造とすることを特徴とした中付け軒瓦である。
【００１３】
請求項４の発明は、請求項１の目的を達成すること、この目的を達成するのに最適な剣垂れの全体的な高さ寸法構造を提供することを意図する。
【００１４】
請求項４は、請求項１に記載の中付け軒瓦において、
前記剣垂れの高さ寸法は、その棧山において、前記瓦本体の頭側垂れ面の肉厚方向の幅と、略同じ構造とし、この剣垂れの高さ寸法は、その差込み側に向って、順次低くなるように形成され、この差込み側の端部においては、瓦本体の裏面と略面一の構造とすることを特徴とした中付け軒瓦である。
【００１５】
請求項５の発明は、請求項１の目的を達成すること、この目的を達成するのに最適な、切欠き部の構造と、この切欠き部に嵌合される剣垂れの合端口の構造を提供することを意図する。
【００１６】
請求項５は、請求項１に記載の中付け軒瓦において、
前記瓦本体の頭差込み側隅部に設けた切欠き部に、葺設時に隣接する瓦の瓦本体の裏面であって、剣垂れの棧山端部に設けた合端口が嵌合されることを特徴とした中付け軒瓦である。
【００１７】
請求項６の発明は、請求項１の目的を達成すること、この目的を達成するのに最適な、切欠き部の差込み（受入れ）傾斜嵌合端部の構造と、合端口の受入れ（差込み）傾斜嵌合端部の構造を提供することを意図する。
【００１８】
請求項６は、請求項１に記載の中付け軒瓦において、
前記瓦本体の頭差込み側隅部に設けた切欠き部の差込み（受入れ）傾斜嵌合端部の傾斜を、差込み側の差込み部の端面の傾斜と略同一とし、この差込み（受入れ）嵌合傾斜端部に、合端口の受入れ（差込み）傾斜嵌合端部が嵌合係止されることを特徴とした中付け軒瓦である。
【００１９】
請求項７の発明は、請求項６の目的を達成すること、この目的を達成するのに最適な、合端口の受入れ（差込み）傾斜嵌合端部の構造を提供することを意図する。
【００２０】
請求項７は、請求項６に記載の中付け軒瓦において、
前記合端口の受入れ（差込み）傾斜嵌合端部の端縁を、曲面形状に形成することを特徴とした中付け軒瓦である。
【発明の効果】
【００２１】
請求項１の発明は、瓦の瓦本体と、瓦本体の裏面で、かつ頭側垂れ面の中付け位置に、裏面より高く設けた、合端口を備えた剣垂れと、瓦本体の頭差込み側隅部に設けた、瓦に隣接する瓦の剣垂れの合端口の挿入を許す切欠き部と、また、瓦本体の裏面で、かつ尻側端部に設けた引掛けとで構成される中付け軒瓦であって、
中付け位置に設けた剣垂れと、頭側垂れ面とで形成される頭側端部の寸法は、瓦本体の棧側より差込み側に向って、順次大きくなるように形成し、
また、剣垂れの高さ寸法は、棧側より差込み側に向って、順次低くなるように形成し、
さらに、剣垂れは、瓦本体の表面と略相似形であることを特徴とした中付け軒瓦である。
【００２２】
従って、請求項１は、剣垂れの頭側垂れ面を、瓦本体の頭側垂れ面と略同じ形状を確保し、この軒先の美感の向上が図れること、又は剣垂れの高さ寸法を、瓦本体の頭側垂れ面の肉厚方向の幅（瓦本体の頭側垂れ面の厚み、高さ寸法）と略同じとして、軒瓦の軽量化が図れること等の特徴を有する。そして、瓦本体の頭側端部の寸法が、棧側より差込み側に向って、順次大きくなるように形成し、葺設して屋根を全体視した際の、軒側（瓦本体の肉厚方向の幅と、剣垂れの高さ寸法とでなる屋根全体の頭側）の高さ寸法の略均一化を図りつつ、その美感の向上が図れること等の利点を有する。
【００２３】
請求項２の発明は、瓦の瓦本体と、瓦本体の裏面で、かつ頭側垂れ面の中付け位置に、裏面より高く設けた、合端口を備えた剣垂れと、瓦本体の頭差込み側隅部に設けた、瓦に隣接する瓦の剣垂れの合端口の挿入を許す切欠き部と、また、瓦本体の裏面で、かつ尻側端部に設けた引掛けとで構成される中付け軒瓦であって、
中付け位置に設けた剣垂れと、頭側垂れ面とで形成される頭側端部の寸法は、瓦本体の棧側より差込み側に向って、順次大きくなるように形成し、
また、剣垂れの高さ寸法は、棧側より差込み側に向って、順次低くなるように形成したことを特徴とした中付け軒瓦である。
【００２４】
従って、請求項２は、請求項１の目的を達成できること、この目的を達成するのに最適な別の瓦を提供できること等の特徴を有する。
【００２５】
請求項３の発明は、請求項１に記載の中付け軒瓦において、
剣垂れの高さ寸法は、平均して、瓦本体の頭側垂れ面の肉厚方向の幅と、略同じ構造とすることを特徴とした中付け軒瓦である。
【００２６】
従って、請求項３は、請求項１の目的を達成できること、この目的を達成するのに最適な剣垂れの高さ寸法構造を提供できること等の特徴を有する。
【００２７】
請求項４の発明は、請求項１に記載の中付け軒瓦において、
剣垂れの高さ寸法は、棧山において、瓦本体の頭側垂れ面の肉厚方向の幅と、略同じ構造とし、剣垂れの高さ寸法は、差込み側に向って、順次低くなるように形成され、差込み側の端部においては、瓦本体の裏面と略面一の構造とすることを特徴とした中付け軒瓦である。
【００２８】
従って、請求項４は、請求項１の目的を達成できること、この目的を達成するのに最適な剣垂れの全体的な高さ寸法構造を提供できること等の特徴を有する。
【００２９】
請求項５の発明は、請求項１に記載の中付け軒瓦において、
瓦本体の頭差込み側隅部に設けた切欠き部に、葺設時に隣接する瓦の瓦本体の裏面であって、剣垂れの棧山端部に設けた合端口が嵌合されることを特徴とした中付け軒瓦である。
【００３０】
従って、請求項５は、請求項１の目的を達成できること、この目的を達成するのに最適な、切欠き部の構造と、この切欠き部に嵌合される剣垂れの合端口の構造を提供できること等の特徴を有する。
【００３１】
請求項６の発明は、請求項１に記載の中付け軒瓦において、
瓦本体の頭差込み側隅部に設けた切欠き部の差込み（受入れ）傾斜嵌合端部の傾斜を、差込み側の差込み部の端面の傾斜と略同一とし、差込み（受入れ）嵌合傾斜端部に、合端口の受入れ（差込み）傾斜嵌合端部が嵌合係止されることを特徴とした中付け軒瓦である。
【００３２】
従って、請求項６は、請求項１の目的を達成できること、この目的を達成するのに最適な、切欠き部の差込み（受入れ）傾斜嵌合端部の構造と、合端口の受入れ（差込み）傾斜嵌合端部の構造を提供できること等の特徴を有する。
【００３３】
請求項７の発明は、請求項６に記載の中付け軒瓦において、
合端口の受入れ（差込み）傾斜嵌合端部の端縁を、曲面形状に形成することを特徴とした中付け軒瓦である。
【００３４】
従って、請求項７は、請求項６の目的を達成できること、この目的を達成するのに最適な、合端口の受入れ（差込み）傾斜嵌合端部の構造を提供できること等の特徴を有する。
【発明を実施するための最良の形態】
【００３５】
本発明の一例を説明する。
【００３６】
図面の説明をすると、図１は中付け軒瓦の一例を示した平面拡大斜視図、図２は中付け軒瓦の一例を示した裏面拡大斜視図、図３は葺き合せ状態を示した平面図、図４は図３の背面図、図５は葺き合せ状態を示した軒先から見た正面図、図６は図５の要部拡大図、図７は図１の例の他の一例を示し、葺き合せ状態の一例を示した軒先から見た正面図、図８は葺き合せ状態を俯瞰した状態の模式図、図９は図１の別の一例を示し、葺き合せ状態の一例を示した平面図、図１０は図９の背面図である。
【００３７】
図中Ａは和形の瓦で、この瓦Ａは、方形状の瓦本体１で構成し、この瓦本体１は、棧山１ａと谷部１ｂ、並びに差込み部１ｃとで構成し、その方形状の端部は、葺き上げ時において、軒先側が頭側１００で、棟側が尻側１０１であり、また一方の袖側が棧側１０２で、他方の袖側が差込み側１０３である。また、この瓦本体１の裏面１ｄであって、かつ瓦本体１の頭側垂れ面１００−１（頭側端面）より内方位置（尻側１０１の方向に入った位置、中付け位置）には、合端口２００を備えた剣垂れ２を設ける。そして、瓦本体１の頭差込み側隅部１０４に設けた剣垂れ２の合端口２００の挿入を許す切欠き部３（頭差込み側隅部１０４に、略方形状に切欠き形成した構造である）を形成する。さらに、前記剣垂れ２の合端口２００に、受入れ（差込み）傾斜嵌合端部２００ａを形成し、また、前記切欠き部３に、差込み（受入れ）傾斜嵌合端部３００を形成する。この受入れ（差込み）傾斜嵌合端部２００ａと、差込み（受入れ）傾斜嵌合端部３００を形成することで、葺き上げ時において、例えば、瓦Ａ（屋根）の差込み葺き（潜り込み）による葺上げ、又は、瓦Ａの被せ葺きによる葺上げ（差込み・受入れ）を想定し、この葺上げの容易化と、瓦Ａの欠け防止と、並びに耐震、耐風雨効果が図れることが考えられる。
【００３８】
尚、本発明は、この合端口２００の端部と、後述する端部２０３を、曲面状に形成し、欠損を回避すること、又は成形の容易化を図ること、並びに、後述する剣垂れ２の下面の連続した流れに、ウエーブ波１（Ｘ）、又はシンプルなウエーブ波２（Ｙ）の生成を図ること等を意図する構造である。また、本発明は、前記切欠き部３に連なる差込み部１ｃの表面（表面１ｅ）に削面３０１を設けることも可能である。
【００３９】
前述した剣垂れ２の特徴を説明すると、図１〜図６に示した一例では、剣垂れ２は、瓦本体１の頭側１００の頭側垂れ面１００−１（棧山１ａ、谷部１ｂ、差込み部１ｃでなる瓦本体１の表面１ｅ）と相似形とし、その中付け位置が、合端口側２００ｂ（棧側１０２）は、外側（頭側１００）に、また、その端部２０３（差込み側１０３）は、内側（尻側１０１）に寄せる構造となる。そして、この剣垂れ２は、瓦本体１の頭側垂れ面１００−１より中付け位置に設けることで、瓦本体１の裏面１ｄには、瓦本体１の頭側垂れ面１００−１と中付け位置との間に、頭側端部１０５が形成される。そして、この頭側端部の寸法１０５−１が、棧側１０２より差込み側１０３に向って、順次大きくなるように形成されているので、葺合せ時に、瓦Ａ−２の差込み側１０３の頭側端部の寸法１０５−１の広い箇所にある端部２０３の前側（軒先側）に、隣接する瓦Ａの棧側１０２の頭側端部の寸法１０５−１の狭い箇所にある合端口側２００ｂが位置する。従って、瓦Ａの剣垂れ２が、瓦Ａ−２の剣垂れ２を隠蔽する構造であり（後述する高さ寸法も関係する）、図５に示すように、相似形の剣垂れ２によるウエーブ波１（Ｘ）を形成する。そして、このウエーブ波１（Ｘ）と、和形瓦を軒先側から視認した際に、瓦Ａ、Ａ−２等で形成される屋根のウエーブ軒先（棧山１ａと谷部１ｂ、並びに差込み部１ｃとで構成される瓦本体１でなる屋根全体の軒先）との調和が図れて有益である。そして、また、他の形状として、図７に示した他の一例では、剣垂れ２を、頭側垂れ面１００−１と相似形ではなく、湾曲形状（鎌剣形状）とし、剣垂れ２の下面の連続した流れに、シンプルなウエーブ波２（Ｙ）を呈する。
【００４０】
さらに、この剣垂れ２の高さ寸法２０１が、棧側１０２より差込み側１０３に向って、順次低くなるように形成することで、前述の隠れ位置関係が確保できること、また軒先から見た場合、屋根全体における剣垂れ２の高さ寸法２０１の一体化と、高さ寸法２０１の美感の向上が図れること等の利点がある。この図１〜図６と、後述する図９、図１０の例では、全体として、剣垂れ２を一文字構造（例えば、文献（１）参照）より、低く構成することで、瓦Ａ及び／又は屋根の軽量化と、耐震、耐風雨効果が図れる実益がある。また、剣垂れ２の高さ寸法２０１は、前記瓦本体１の頭側垂れ面１００−１の肉厚方向の幅１００−１ａと、略同じ構造とするが、これは、棧側１０２から瓦本体１の中央（谷部１ｂ）までとし、瓦本体１の中央（谷部１ｂ）から差込み部１ｃに亘って、徐々に細く形成する。従って、瓦Ａ−２と、瓦Ａ−３のように、この瓦Ａ−２の剣垂れ２の合端口側２００ｂの後側に、隣合う瓦Ａ−３の差込み側１０３の剣垂れ２の端部２０３が位置し、かつこの合端口側２００ｂの後側に隠れる構造（隠れ位置関係）となっている（図３〜１０参照）。また、剣垂れ２の肉厚寸法２０４は、棧側１０２が狭く、差込み側１０３に向って、徐々に広く形成し、例えば、前述の如く、瓦Ａ−２の剣垂れ２の剣垂れ２の合端口側２００ｂの後側に、隣合う瓦Ａ−３の差込み側１０３の剣垂れ２の端部２０３が位置し、かつこの合端口側２００ｂの後側に隠れた場合において、略々、同じ肉厚構造となっている（図９、図１０参照）。従って、軒先（頭側）より視認した際の段差を解消することができる。
【００４１】
頭側端部１０５の表面１ｅであって、前記頭差込み側隅部１０４の近傍に、平坦部１０４ａを形成するとともに、棧側１０２の頭側裏面隅角１０２−１に、平坦部１０２ａを形成し、この各平坦部１０４ａ、１０２ａの摺り合わせを介して、きき幅調整を可能とする構造である。
【００４２】
さらに、他の例として、図９、図１０に示した、平面視して、頭側１００をストレート形状とした例においても、剣垂れ２は、その中付け位置において、曲面形状とし、異なる形状とし、特異性を発揮すること、または前述したウエーブ波１（Ｘ）、又はシンプルなウエーブ波２（Ｙ）との相乗効果と、又は軒先より視認した際において、中付に剣垂れ２の正面の連続した流れに、立体的なウエーブ波面（Ｚ）の感覚を表現できること等も可能である。この例でも、葺設した際に、各剣垂れ２は、瓦Ａ−２の合端口側２００ｂ（棧側１０２）が外側（頭側１００）に、また、隣合う瓦Ａ−３の端部２０３（差込み側１０３）が内側（尻側１０１）に位置する（隠れ位置関係）。そして、他の構造は、前述の例に準ずる。
【００４３】
前記略方形状に切欠き設けた切欠き部３に設けた差込み（受入れ）傾斜嵌合端部３００の傾斜と、瓦本体１の差込み側１０３の端面１０３ａの傾斜とを、略同じとすることで、例えば、成形時の型抜きの容易化、折損の回避等に有効である。
【００４４】
また、瓦本体１の裏面１ｄで、切込み部８の棧尻隅部３０２には、きき幅調整用の窪み部５を形成し、この窪み部５を利用し、斜め上方に葺設される瓦本体１’（瓦Ａ−１）との関係で、前記きき幅調整を図り、屋根地の寸法に対応する。
【００４５】
尚、図中７は、瓦本体１の表面１ｅに設けた水返し突条で、この水返し突条７は、その尻側１０１から差込み側１０３に亘って設けた、表面視して略鈎形形状であり、かつこの尻側１０１の切込み部８に至る構造である。
【００４６】
次に、図３、図４等を参照して、瓦Ａ、Ａ−２、Ａ−３等の葺上げを説明すると、瓦Ａを屋根地に、釘止め、又は葺土を介して葺設し、瓦本体１に他の瓦Ａ−２の他の瓦本体１（同じ名称と符号を使用する）を、差込み葺きする。具体的には、瓦本体１の棧山１ａに、他の瓦本体１の差込み側１ｃを差込む、この際に、剣垂れ２の合端口２００の受入れ（差込み）傾斜嵌合端部２００ａに、他の瓦本体１の頭差込み側隅部１０４に設けた切欠き部３の差込み（受入れ）傾斜嵌合端部３００を衝止することで、瓦本体１と他の瓦本体１の相互間の位置決めと、差込み位置を確認できる。そして、この受入れ（差込み）傾斜嵌合端部２００ａと、差込み（受入れ）傾斜嵌合端部３００との衝止を介して、葺上げの強化と、瓦本体１等の浮上り防止に有効である。この状態においては、前述した如く、剣垂れ２の棧側１０２の後ろ側（尻側）に、重畳した他の剣垂れ２の差込み側１０３が位置する構造（剣垂れ２の隠れ位置関係が確保できる構造）が確保できること、またその特徴が発揮できる。またこの状態が、当該瓦Ａと、瓦Ａ−２の葺上げ状態であって、瓦本体１の棧山１ａに差込み部１ｃが差込まれた（潜らせた）葺設状態である。これにより、中付けのウエーブ波１（Ｘ）とウエーブ軒先が形成される。
【００４７】
また瓦Ａ、Ａ−２、Ａ−３等の葺上げで、被せ葺きの説明は、瓦Ａ−３を屋根地に、釘止め、又は葺土を介して葺設し、瓦本体１に他の瓦Ａ−２の他の瓦本体１（同じ名称と符号を使用する）を、被せ葺きする。具体的には、瓦本体１の差込み部１ｃに、他の瓦本体１の棧山１ａを被せる。この際に、瓦本体１の頭差込み側隅部１０４に設けた切欠き部３に、他の瓦本体１に設けた剣垂れ２の合端口２００を差込み、かつ差込み側１０３に棧山１ａを被せ、切欠き部３の差込み（受入れ）傾斜嵌合端部３００に、合端口２００の受入れ（差込み）傾斜嵌合端部２００ａが衝止することで、瓦本体１と他の瓦本体１の相互間の位置決めと、差込み位置を確認できる。その他は、前述の例に準ずる。
【００４８】
尚、前記合端口２００の受入れ（差込み）傾斜嵌合端部２００ａの端縁を、曲面形状２０２に形成する。これにより、製造時の型抜きの容易化を図り、製造・運搬時等における割れを防止し、葺設時において、隣接する瓦との損傷を防止する効果がある。
【図面の簡単な説明】
【００４９】
【図１】図１は中付け軒瓦の一例を示した平面拡大斜視図
【図２】図２は中付け軒瓦の一例を示した裏面拡大斜視図
【図３】図３は葺き合せ状態を示した平面図
【図４】図４は図３の背面図
【図５】図５は葺き合せ状態の一例を示した軒先から見た正面図
【図６】図６は図５の要部拡大図
【図７】図７は図１の例の他の一例を示し、葺き合せ状態の一例を示した軒先から見た正面図
【図８】図８は葺き合せ状態を俯瞰した状態の模式図
【図９】図９は図１の別の一例を示し、葺き合せ状態の一例を示した平面図
【図１０】図１０は図９の背面図
【符号の説明】
【００５０】
Ａ              瓦
Ａ−１          瓦
Ａ−２          瓦
Ａ−３          瓦
１              瓦本体
１’            瓦本体
１ａ            棧山
１ｂ            谷部
１ｃ            差込み部
１ｄ            裏面
１ｅ            表面
１００          頭側
１００−１      頭側垂れ面
１００−１ａ    肉厚方向の幅
１０１          尻側
１０２          棧側
１０２ａ        平坦部
１０２−１      頭側裏面隅角
１０３          差込み側
１０３ａ        端面
１０４          頭差込み側隅部
１０４ａ        平坦部
１０５          頭側端部
１０５−１      頭側端部の寸法
２              剣垂れ
２００          合端口
２００ａ        受入れ（差込み）傾斜嵌合端部
２００ｂ        合端口側
２０１          高さ寸法
２０２          曲面形状
２０３          端部
２０４          肉厚
３              切欠き部
３００          差込み（受入れ）傾斜嵌合端部
３０１          削面
３０２          棧尻隅部
５              窪み部
６              引掛け
７              水返し突条
８              切込み部
Ｘ              ウェーブ波１
Ｙ              ウエーブ波２
Ｚ              ウエーブ波面
【図１】
2009144476.tif 000003
【図２】
2009144476.tif 000004
【図３】
2009144476.tif 000005
【図４】
2009144476.tif 000006
【図５】
2009144476.tif 000007
【図６】
2009144476.tif 000008
【図７】
2009144476.tif 000009
【図８】
2009144476.tif 000010
【図９】
2009144476.tif 000011
【図１０】
2009144476.tif 000012